(57)【特許請求の範囲】
【請求項１】
建物ユニットを構成する壁パネルの上部に天井パネルを取付ける建物ユニットへの天井パネル取付方法において、
壁パネルに取付けられる仮止め金具に天井パネルを支持し、該天井パネルを該壁パネルの上端面レベルより高位置の待機位置に待機させ、
壁パネルに対する所定の作業後に、仮止め金具による天井パネルの支持位置を変位させ、該天井パネルを壁パネルに対する正規取付位置に位置決めし、該天井パネルを壁パネルに固定するものであり、
前記壁パネルに対する所定の作業が、天井パネルに予め積込んであった配線／配管類の壁内設置部分を、壁パネルの内部スペースに引込み、その後、壁パネルの内部スペースを覆う内面材を該壁パネルに取付ける作業であることを特徴とする建物ユニットへの天井パネル取付方法。
【請求項２】
前記仮止め金具が、壁パネルに取付けられる金具本体と、金具本体に螺着されるアジャストボルトを有し、
アジャストボルトに天井パネルを支持し、アジャストボルトの螺動により天井パネルの支持位置を変位させることを特徴とする請求項１に記載の建物ユニットへの天井パネル取付方法。
【発明の詳細な説明】
【技術分野】
【０００１】
本発明は建物ユニットへの天井パネル取付方法に関する。
【背景技術】
【０００２】
従来、建物ユニットへの天井パネル取付方法は、特許文献１に記載の如く、建物ユニットを構成する壁パネルの内面材の内側に、クレーン等により吊りおろされる天井パネルを嵌め込み、該天井パネルの側野縁を壁パネルの内面材及び枠材にねじ固定等している。
【先行技術文献】
【特許文献】
【０００３】
【特許文献１】特公平7-109117
【発明の概要】
【発明が解決しようとする課題】
【０００４】
従来技術において、建物ユニットに例えば電気配線する場合には、その建物ユニットにおける壁パネルの内部スペースに配線の壁内設置部分を設置し、その後、壁パネルの壁面材を貼り設ける。次に、壁パネルの内面材の内側に天井パネルを嵌め込み、該天井パネルの側野縁を壁パネルの内面材及び枠材にねじ固定等する。更に、上述の配線の壁内設置部分につながっている天井上設置部分を天井パネルの上に突き出し、該配線を天井パネルの上に設けられているジョイントボックス等に接続する。
【０００５】
しかしながら、従来の建物ユニットへの天井パネル取付方法にあっては、建物ユニットを構成する壁パネルの上部に取付けられた天井パネルの上に、壁パネルの内部スペースに設置されている配線の天井上設置部分を引き出す。そして、天井パネルの上に載る作業者によりその配線をジョイントボックス等に接続する高所作業を行なうものになる。従って、天井パネルの上の高所作業時間が長くなり、生産性及び安全性の改善が望まれる。
【０００６】
本発明の課題は、建物ユニットへの天井パネル取付方法において、天井パネルの上の高所作業時間を短縮し、生産性及び安全性を向上することにある。
【課題を解決するための手段】
【０００７】
請求項１に係る発明は、建物ユニットを構成する壁パネルの上部に天井パネルを取付ける建物ユニットへの天井パネル取付方法において、壁パネルに取付けられる仮止め金具に天井パネルを支持し、該天井パネルを該壁パネルの上端面レベルより高位置の待機位置に待機させ、壁パネルに対する所定の作業後に、仮止め金具による天井パネルの支持位置を変位させ、該天井パネルを壁パネルに対する正規取付位置に位置決めし、該天井パネルを壁パネルに固定するものであり、前記壁パネルに対する所定の作業が、天井パネルに予め積込んであった配線／配管類の壁内設置部分を、壁パネルの内部スペースに引込み、その後、壁パネルの内部スペースを覆う内面材を該壁パネルに取付ける作業であるようにしたものである。
【０００８】
請求項２に係る発明は、請求項１に係る発明において更に、前記仮止め金具が、壁パネルに取付けられる金具本体と、金具本体に螺着されるアジャストボルトを有し、アジャストボルトに天井パネルを支持し、アジャストボルトの螺動により天井パネルの支持位置を変位させるようにしたものである。
【発明の効果】
【００１０】
（請求項１）
(a)建物ユニットへの天井パネルの取付方法において、壁パネルに取付けられる仮止め金具に天井パネルを支持し、該天井パネルを待機位置に待機させ、壁パネルに対する所定の作業後に、仮止め金具による天井パネルの支持位置を変位させ、該天井パネルを壁パネルに対する正規取付位置に位置決めし、該天井パネルを壁パネルに固定する。
【００１１】
従って、例えば天井パネル〜壁パネルに渡って設けられる部材を予め地上作業により天井パネルに設置しておき、この天井パネルを待機位置に持ち上げた状態で上記部材の壁パネルへの設置部分を壁パネルに設ける。その後、天井パネルを壁パネルに対する正規取付位置に位置決めして取付けることができる。天井パネル〜壁パネルに渡って設けられる部材を予め地上作業により天井パネルに設置しておくことにより、天井パネルの上の高所作業時間を短縮し、生産性及び安全性を向上することができる。
【００１２】
(b)天井パネル〜壁パネルの内部スペースに渡って設けられる配線／配管類を予め地上作業により天井パネルに組込んでおき、この天井パネルを待機位置に持ち上げた状態で上記配線／配管類の壁内設置部分を壁パネルの内部スペースに設ける。この壁パネルの内部スペースを覆う内面材を該壁パネルに取付けた後、天井パネルを壁パネルに対する正規取付位置に位置決めして取付けることができる。天井パネル〜壁パネルの内部スペースに渡って設けられる配線／配管類を予め地上作業により天井パネルに設置しておくことにより、天井パネルの上の高所作業時間を短縮し、生産性及び安全性を向上することができる。
【００１３】
（請求項２）
(c)仮止め金具が、壁パネルに取付けられる金具本体と、金具本体に螺着されるアジャストボルトを有し、アジャストボルトに天井パネルを支持し、アジャストボルトの螺動により天井パネルの支持位置を変位させる。従って、アジャストボルトの螺動により、天井パネルの支持位置を、待機位置と、正規取付位置とに簡易に設定替えできる。
【図面の簡単な説明】
【００１４】
【図１】図１は建物ユニットへの天井パネル取付方法を示す斜視図である。
【図２】図２は天井パネルを示す斜視図である。
【図３】図３は天井パネルに取付けた仮止め金具を示す断面図である。
【図４】図４は建物ユニットへの天井パネル取付方法の施工手順を示す模式図である。
【図５】図５は天井パネルを壁パネルの枠材に取付ける手順を示す模式図である。
【図６】図６は天井パネルを壁パネルの方杖に取付ける手順を示す模式図である。
【発明を実施するための形態】
【００１５】
図１に示す建物ユニット１０は、矩形状床パネル１１の外縁、本実施例では桁側一辺と妻側二辺の３個の外縁のそれぞれに壁パネル２０が立設され、それらの壁パネル２０の上部に天井パネル３０が取付けられる。
【００１６】
壁パネル２０は、上下２本の枠材２１、２２と、複数本の縦枠材２３からなる壁枠組の外側と内側に外面材２４と内面材２５（図１で不図示）を貼り設けて構成される。相対する妻側の２個の壁パネル２０は、それらの縦枠材２３の互いに相対する内側面の上部に、天井パネル３０を取付けるための方杖２６が取付けられている。
【００１７】
天井パネル３０は、相対する２本の側野縁３１、３２と、複数本の野縁３３からなる天井枠組の下面に天井面材３４を貼り設けて構成される。天井パネル３０は、側野縁３１が桁側の壁パネル２０の内面材２５から上枠材２１に釘打ち固定されて取付けられるとともに、側野縁３２が両側の２個の壁パネルに設けてある方杖２６の上面に載り、ボルト締結されて取付けられる。
【００１８】
建物ユニット１０は、天井パネル３０〜壁パネル２０の内部スペース（外面材２４と内面材２５に挟まれるスペース）に電気配線（又は空調配管等）等の配線／配管類１００が設置されるものであり、壁パネル２０への天井パネル３０の取付方法を以下の如くにする。
【００１９】
(1)天井パネル３０に予め仮止め金具４０を取付けておく（図１、図２）。この仮止め金具４０は、下記(4)で天井パネル３０が壁パネル２０の上部に吊上げられたとき、桁側の壁パネル２０に取付けられるものになる。
【００２０】
仮止め金具４０は、桁側の壁パネル２０の上枠材２１に取付られる金具本体４１と、金具本体４１に螺着されるアジャストボルト４２を有する。金具本体４１は、桁側の壁パネル２０の上枠材２１に取付けられる水平片４１Ａと、水平片４１Ａの一側から立上る鉛直片４１Ｂと、鉛直片４１Ｂの上端から水平片４１Ａの反対側に延びる水平片４１Ｃからなる。水辺片４１Ｃの上面にアジャストボルト４２のためのナット４３が固着されている。
【００２１】
この仮止め金具４０が、図２、図３に示す如く、天井パネル３０が壁パネル２０の上部に吊上げられて上枠材２１に取付けられる前に、該天井パネル３０に予め設けられる。即ち、アジャストボルト４２が、天井パネル３０の桁側のリップ付Ｃ形鋼からなる側野縁３１の上下のフランジに設けてある取付孔に下側から挿通され、金具本体４１の水平片４１Ｃのナット４３に螺着される。これにより、仮止め金具４０の水平片４１Ｃが天井パネル３０の側野縁３１の上フランジの上面に予め固定的に取付けられる。
【００２２】
(2)天井パネル３０に予め地上作業にて配線／配管類１００を組込んでおく（図１）。天井パネル３０の天井面材３４の上にジョイントボックス１０１が固定され、ジョイントボックス１０１に接続されている１本以上の配線／配管類１００の天井上設置部分１００Ａが天井面材３４の上に配置され、この天井上設置部分１００Ａにつながる壁内設置部分１００Ｂが丸められて天井面材３４の上に配置される。
【００２３】
(3)壁パネル２０に予め仮止め金具５０を取付けておく（図１）。仮止め金具５０は、妻側の２個の壁パネル２０の縦枠材２３に取付けられている方杖２６からなる金具本体５１と、金具本体５１に螺着されるアジャストボルト５２を有する。金具本体５１は、妻側の壁パネル２０の縦枠材２３に取付けられる鉛直片５１Ａと、鉛直片５１Ａの上端から延びる水平片５１Ｂと、鉛直片５１Ａの下端と水平片５１Ｂの延在端とをつなぐ斜片５１Ｃを有する。水辺片５１Ｂの下面にアジャストボルト５２のためのナット５３が固着されている。
【００２４】
(4)天井パネル３０をクレーンにより地上から吊上げる（図４（Ａ））。この天井パネル３０が上述(1)の仮止め金具４０を介して桁側の壁パネル２０の上枠材２１に取付けられるとともに、上述(3)の仮止め金具５０を介して妻側の２個の壁パネル２０の縦枠材２３に取付けられ、待機位置に待機される。
【００２５】
即ち、天井パネル３０の桁側の側野縁３１に前述(1)の如くに予め取付けてある仮止め金具４０の金具本体４１の水平片４１Ａが、桁側の壁パネル２０の上枠材２１に載置される（図５（Ａ））。このとき、水平片４１Ａが上枠材２１から突き出している上階ユニット等とのジョイントボルト２７に挿通される（図５（Ｂ））。また、水平片４１Ａが上枠材２１に２本の木ねじ２８で固定されて支持される（図５（Ｂ））。
【００２６】
また、天井パネル３０の側野縁３１に相対する桁側のリップ付Ｃ形鋼からなる側野縁３２の下フランジに設けてある取付孔に、相対する妻側の２個の壁パネル２０の縦枠材２３に前述(3)の如くに予め取付けてある仮止め金具５０のアジャストボルト５２が挿通される。アジャストボルト５２の先端が側野縁３２の上フランジに下から衝合し、天井パネル３０を支持する（図６（Ａ））。
【００２７】
天井パネル３０は、仮止め金具４０、５０を介して、桁側の壁パネル２０の上枠材２１、妻側の２個の壁パネル２０の縦枠材２３に支持されるとき、各壁パネル２０の上枠材２１の上面レベルより高位置の待機位置に位置付けられて待機するものになる。
【００２８】
(5)天井パネル３０に上述(2)で予め組込んであった配線／配管類１００の壁内設置部分１００Ｂを、壁パネル２０の未だ内面材２５が貼り設けられていない内部スペースに引込む（図４（Ｂ））。配線／配管類１００の壁内設置部分１００Ｂの先端部は、内面材２５が貼り設けられたときのコンセント予定位置にまで延在される。
【００２９】
(6)壁パネル２０の内部スペースを覆う内面材２５が、待機位置に待機中の天井パネル３０の下方を通って壁パネル２０の側に導入され、壁パネル２０の各枠材２１、２２、２３に釘打ち等されて取付けられる（図４（Ｃ））。
【００３０】
(7)仮止め金具４０、５０による天井パネル３０の支持位置を下方変位させ、天井パネル３０を壁パネル２０に対する正規取付位置に位置決めし、天井パネル３０を壁パネル２０に固定する（図４（Ｄ））。
【００３１】
仮止め金具４０のアジャストボルト４２を天井パネル３１の側野縁３１の下側で緩め、天井パネル３０の側野縁３１を下げ、壁パネル２０に対する正規取付位置に位置付ける（図５（Ｃ））。また、仮止め金具５０のアジャストボルト５２を金具本体５１（方杖２６）の下側で緩め、天井パネル３０の側野縁３２を方杖２６の上面に載せ、壁パネル２０に対する正規取付位置に位置付ける（図６（Ｂ））。
【００３２】
天井パネル３０の側野縁３１のウエブを木ねじ等により桁側の壁パネル２０の内面材２５、上枠材２１に固定する。その後、仮止め金具４０（金具本体４１、アジャストボルト４２）を壁パネル２０、天井パネル３０から撤去する。
【００３３】
天井パネル３０の側野縁３２の上下のフランジと、方杖２６をボルト等により固定する。その後、現地へ輸送し、建物ユニット１０を据付け、その上に上階建物ユニットを据付け、側野縁３２を上階建物ユニットの床パネルから垂下させて固定した後、仮止め金具５０（方杖２６からなる金具本体５１、アジャストボルト５２）を壁パネル２０、天井パネル３０から撤去する。
【００３４】
従って、本実施例によれば以下の作用効果を奏する。
(a)建物ユニット１０への天井パネル３０の取付方法において、壁パネル２０に取付けられる仮止め金具４０、５０に天井パネル３０を支持し、該天井パネル３０を待機位置に待機させ、壁パネル２０に対する所定の作業後に、仮止め金具４０、５０による天井パネル３０の支持位置を変位させ、該天井パネル３０を壁パネル２０に対する正規取付位置に位置決めし、該天井パネル３０を壁パネル２０に固定する。
【００３５】
従って、例えば天井パネル３０〜壁パネル２０に渡って設けられる部材（配線／配管類１００）を予め地上作業により天井パネル３０に設置しておき、この天井パネル３０を待機位置に持ち上げた状態で上記部材（配線／配管類１００）の壁パネル２０への設置部分を壁パネル２０に設ける。その後、天井パネル３０を壁パネル２０に対する正規取付位置に位置決めして取付けることができる。天井パネル３０〜壁パネル２０に渡って設けられる部材（配線／配管類１００）を予め地上作業により天井パネル３０に設置しておくことにより、天井パネル３０の上の高所作業時間を短縮し、生産性及び安全性を向上することができる。
【００３６】
(b)天井パネル３０〜壁パネル２０の内部スペースに渡って設けられる配線／配管類１００を予め地上作業により天井パネル３０に組込んでおき、この天井パネル３０を待機位置に持ち上げた状態で上記配線／配管類１００の壁内設置部分１００Ｂを壁パネル２０の内部スペースに設ける。この壁パネル２０の内部スペースを覆う内面材を該壁パネル２０に取付けた後、天井パネル３０を壁パネル２０に対する正規取付位置に位置決めして取付けることができる。天井パネル３０〜壁パネル２０の内部スペースに渡って設けられる配線／配管類１００を予め地上作業により天井パネル３０に設置しておくことにより、天井パネル３０の上の高所作業時間を短縮し、生産性及び安全性を向上することができる。
【００３７】
(c)仮止め金具４０、５０が、壁パネル２０に取付けられる金具本体４１、５１と、金具本体４１、５１に螺着されるアジャストボルト４２、５２を有し、アジャストボルト４２、５２に天井パネル３０を支持し、アジャストボルト４２、５２の螺動により天井パネル３０の支持位置を変位させる。従って、アジャストボルト４２、５２の螺動により、天井パネル３０の支持位置を、待機位置と、正規取付位置とに簡易に設定替えできる。
【００３８】
以上、本発明の実施の形態を図面により記述したが、本発明の具体的な構成はこの実施の形態に限られるものではなく、本発明の要旨を逸脱しない範囲の設計の変更等があっても本発明に含まれる。
【産業上の利用可能性】
【００３９】
本発明は、建物ユニットを構成する壁パネルの上部に天井パネルを取付ける建物ユニットへの天井パネル取付方法において、壁パネルに取付けられる仮止め金具に天井パネルを支持し、該天井パネルを待機位置に待機させ、壁パネルに対する所定の作業後に、仮止め金具による天井パネルの支持位置を変位させ、該天井パネルを壁パネルに対する正規取付位置に位置決めし、該天井パネルを壁パネルに固定する。これにより、建物ユニットへの天井パネル取付方法において、天井パネルの上の高所作業時間を短縮し、生産性及び安全性を向上することができる。
【符号の説明】
【００４０】
１０  建物ユニット
２０  壁パネル
３０  天井パネル
４０、５０  仮止め金具
４１、５１  金具本体
４２、５２  アジャストボルト
１００  配線／配管類
【図１】
0005715792.tif 000002
【図２】
0005715792.tif 000003
【図３】
0005715792.tif 000004
【図４】
0005715792.tif 000005
【図５】
0005715792.tif 000006
【図６】
0005715792.tif 000007